(57)【特許請求の範囲】
【請求項１】
柱と床梁と天井梁とを平面矩形状の箱形に連結し、且つ、この矩形状の一角に柱を省略した柱省略角部を有する４個の建物ユニットが、長辺同士、短辺同士を対峙させ、且つ、柱省略角部を互いに突き合わせて据え付けられたユニット建物において、
前記柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられ、
この補強梁で分けられた２組の一方の組の建物ユニットでは、柱省略角部で突き合っている短辺の天井梁同士が剛接合され、他方の組の建物ユニットでは、柱省略角部で突き合っている短辺の天井梁同士がピン接合され、
剛接合された天井梁と、ピン接合された天井梁とは、前記補強梁を介して連結されていることを特徴とするユニット建物。
【請求項２】
前記補強梁で分けられた２組の建物ユニットの少なくともどちから１組には、対峙する長辺の天井梁の間に長辺とほぼ等しい長さの別の補強梁が取り付けられていることを特徴とする請求項１記載のユニット建物。
【請求項３】
柱と床梁と天井梁とを平面矩形状の箱形に連結し、且つ、この矩形状の一角に柱を省略した柱省略角部を有する４個の建物ユニットが、長辺同士、短辺同士を対峙させ、且つ、柱省略角部を互いに突き合わせて据え付けられたユニット建物において、
前記柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられ、
この補強梁で分けられた２組の一方の組の建物ユニットでは、柱省略角部で突き合っている短辺の天井梁同士が剛接合され、且つ、対峙している長辺の天井梁の間に長辺とほぼ等しい長さの別の補強梁が取り付けられ、他方の組の建物ユニットでは、柱省略角部で突き合っている短辺の天井梁同士がピン接合され、
剛接合された天井梁と、ピン接合された天井梁とは、前記補強梁を介して連結されていることを特徴とするユニット建物。
【請求項４】
柱と床梁と天井梁とを平面矩形状の箱形に連結し、且つ、この矩形状の一角に柱を省略した柱省略角部を有する４個の建物ユニットが、長辺同士、短辺同士を対峙させ、且つ、柱省略角部を互いに突き合わせて据え付けられたユニット建物において、
前記柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられ、
この補強梁で分けられた２組の一方の組の建物ユニットでは、柱省略角部で突き合っている短辺の天井梁同士がピン接合され、且つ、対峙している長辺の天井梁の間に長辺とほぼ等しい長さの別の補強梁が取り付けられ、他方の組の建物ユニットでは、柱省略角部で突き合っている短辺の天井梁同士が剛接合され、
剛接合された天井梁と、ピン接合された天井梁とは、前記補強梁を介して連結されていることを特徴とするユニット建物。
【発明の詳細な説明】
【０００１】
【発明の属する技術分野】
この発明は建物ユニットに関する。
【０００２】
【従来の技術】
ユニット建物は、運搬可能な一定の大きさの箱形の、且つ、内部、外部の仕上げられた建物ユニットと屋根ユニット・屋根パネルとを、予め、工場で製造し、この建物ユニットや屋根ユニット・屋根パネルの複数個を施工現場に運搬し、施工現場で組み立てて建物となすものであって、現場施工期間が短く、且つ、寸法精度の良い標準化された建物となる特徴があることから、近年、広く採用されている。尚、屋根パネルは工場で建物ユニットに取り付けられて施工現場に運搬されることもある。
【０００３】
このユニット建物に使用される建物ユニットとしては種々な構造のものが知られている。
例えば、特公昭６１−４２０６１号公報（以後従来例１と称する）には、平面矩形状の四隅に配置した４本の柱と、この４本の柱の上端部を矩形状の辺に沿って連結した天井梁と、この４本の柱の下端部を矩形状の辺に沿って連結した床梁とからなる平面矩形状の建物ユニットの骨格が記載されている。そして、この骨格の相対する天井梁に天井野縁を差し渡し、この天井野縁の下面に天井材を取り付けて天井を形成し、相対する床梁に床小梁を差し渡し、この上に床根太を取り付け、この床根太の上に床材を取り付けて床を形成し、天井梁と床梁との間に間柱を取り付け、この間柱に壁パネルを取り付けて壁を形成して建物ユニットとなすのである。
【０００４】
又、特開平６−１８５１２２号公報（以後従来例２と称する）には、柱省略角部に仮柱を設けた建物ユニットを、この柱省略角部を互いに突き合わせて据え付け、柱省略角部の天井梁を１個の補強連結具で連結した後、仮柱を取り外した柱省略角部を有するユニット建物が記載されている。
【０００５】
又、特開平８−２７７５８０号公報（従来例３と称する）には、柱省略角部に仮柱を設けた建物ユニットを、この柱省略角部を互いに突き合わせて据え付けた後、ほぼ一直線状に形成された柱省略角部を通過する一方の建物ユニットの天井梁から柱省略角部を経て他方の建物ユニットの天井梁に両方の天井梁の和にほぼ等しい長さの補強梁を差し渡し、補強梁の両端部と中央部とを天井梁に接続し、仮柱を取り外した柱省略角部を有するユニット建物が記載されている。
【０００６】
又、特開平１０−６１０２１号公報（以後従来例４と称する）には、柱省略角部に仮柱を設けた建物ユニットの３個または４個を、この柱省略角部を互いに突き合わせて据え付け、この突き合わせた建物ユニットが形成する柱省略角部の十字形状の隙間に、十字形の補強梁を設置して、この十字形の補強梁を天井梁に接続した後、仮柱を取り外した柱省略角部を有するユニット建物が記載されている。尚、この十字形の２本の補強梁の一方の補強梁は建物ユニットの柱省略角部を通過する一直線状に形成された２本の天井梁の合計とほぼ等しい長さになっている。
【０００７】
【発明が解決しようとする課題】
しかしながら、従来例１記載のユニット建物の複数個を組み立てたユニット建物では、建物ユニットの角部が突き合わされた部分に必ず柱があり、この柱に遮られて広く連続した居住空間を形成させることができないという問題がある。
従来例２〜４記載のユニット建物では、上記問題を解決するものであって、仮柱を取り外すことにより、この部分に広く連続した居住空間を形成させることができ、極めて便利である。
【０００８】
しかし、次に示す問題があることが判明した。
即ち、従来例２記載のユニット建物では、柱省略角部の天井梁を補強連結具で連結すると、この柱省略角部を通過する天井梁の天井スパンは、通常の天井梁の２倍の長さになる。従って、この２倍の長さになった天井梁が大きく撓んだり破損する危険がある。そのため、この柱省略角部を通過する天井梁の長さをそれ程長くすることができず、柱を省略した広い連続した空間の拡張に限界がある。
【０００９】
従来例３記載のユニット建物に使用する補強梁は、天井梁の２倍にほぼ等しい長さになっているので、天井梁全体が補強され、従来例２記載の問題がない。
しかし、建物ユニットは工場等の施工現場以外の場所で製造し、トラック等で施工現場に運搬し、施工現場で組み立ててユニット建物とする関係で、建物ユニットはトラック等で運搬できる大きさにしている。
【００１０】
具体的に説明すると、矩形状の建物ユニットでは、短辺をトラック等の幅より大きくできないので、ほぼ２４００ｍｍにし、長辺を建物のモジュール寸法（９００ｍｍ等）を基準にした長さ、例えば、３６００ｍｍ、４５００ｍｍ、５４００ｍｍに、柱の厚み等の補正部分を加えた長さ（以後ほぼ３６００ｍｍ、ほぼ４５００ｍｍ、ほぼ５４００ｍｍという）にしている。
従って、この補強梁を長辺に取り付ける場合には、補強梁は長辺の２倍とほぼ等しい長さ（ほぼ７２００ｍｍ、ほぼ９０００ｍｍ、ほぼ１０８００ｍｍ）となり、極めて長く運搬し難いし、建物ユニットの長辺に取り付け難いという問題がある。又、この補強梁を短辺に取り付ける場合には、補強梁は短辺の２倍とほぼ等しい長さ（ほぼ４８００ｍｍ）となり運搬し易いが、この短辺に補強梁を取り付けたユニット建物では、柱省略角部を通過する長辺方向の天井スパンが長辺の天井梁のほぼ２倍の長さとなるので、次に示す問題が生ずる。
【００１１】
即ち、柱省略角部のない建物ユニットの場合でも、長辺方向の天井梁は、若干撓む（この撓みは許容される範囲である）。この上に、更に、補強梁で補強された短辺方向の天井梁も天井スパンが短辺の天井梁のほぼ２倍になり若干撓む（この撓みも許容される範囲である）。従って、この柱省略角部を通過する短辺の撓みと長辺による撓みとが重なって、柱省略角部を一端に持つ長辺側の天井梁が大きく撓んで、許容範囲を超える。すると、この天井梁の下方に取り付けられる天井が低くなるという問題がある。
【００１２】
かかる問題が生ずる長辺の長さは、この長辺の天井梁にかかる荷重によって異なり、はっきりとした寸法を示すことができないが、例えば、上階の柱がこの天井梁の中央部の上に取り付けられていると、長辺の天井梁に大きな荷重がかかり、長辺の天井梁の長さがほぼ３６００ｍｍ許容範囲を超えることがある。又、天井梁に大きな荷重がかからない通常の場合には、ほぼ４５００ｍｍで許容範囲を超えることがあり、ほぼ５４００ｍｍでは、ほとんど全て許容範囲を超える。
【００１３】
尚、この長辺が撓まないように長辺の厚みを大きくしてもよいが、この柱省略角部を有するユニット建物用に天井梁の厚みを大きくした特別な建物ユニットを製造するとなると、建物ユニットが少量生産となり極めて高価になるという問題がある。
【００１４】
従来例４記載のユニット建物に使用する補強梁は十字形になっているので、柱省略角部を構成するそれぞれの天井梁がすべて補強されて従来例３記載のように天井梁が許容範囲を超えるほど撓むことがなく極めて好ましいが、この補強梁が十字形をしているので、トラックで運搬し難いという問題がある。かかる問題をなくするために、この補強梁を施工現場で組み立てるとなると、補強梁が大きいので、組み立てる作業が困難であるし、この作業によって現場施工工数が増加するという問題がある。
【００１５】
そこで、この発明の目的は、柱省略角部を有する建物ユニットを組み立てたユニット建物であって、補強梁を容易に運搬することができ、しかも、天井梁が許容範囲を超えるほど撓まないユニット建物を提供することである。
【００１６】
【課題を解決するための手段】
本発明は上記目的を達成するためになしたものであって、請求項１記載の発明は、柱と床梁と天井梁とを平面矩形状の箱形に連結し、且つ、この矩形状の一角に柱を省略した柱省略角部を有する４個の建物ユニットが、長辺同士、短辺同士を対峙させ、且つ、柱省略角部を互いに突き合わせて据え付けられたユニット建物において、前記柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられ、この補強梁で分けられた２組の一方の組の建物ユニットでは、柱省略角部で突き合っている短辺の天井梁同士が剛接合され、他方の組の建物ユニットでは、柱省略角部で突き合っている短辺の天井梁同士がピン接合され、剛接合された天井梁と、ピン接合された天井梁とは、前記補強梁を介して連結されているものである。
【００１７】
請求項２記載の発明は、請求項１記載の発明に係り、前記補強梁で分けられた２組の建物ユニットの少なくともどちらか１組には、対峙する長辺の天井梁の間に長辺とほぼ等しい長さの別の補強梁が取り付けられているものである。
【００１８】
請求項３記載の発明は、柱と床梁と天井梁とを平面矩形状の箱形に連結し、且つ、この矩形状の一角に柱を省略した柱省略角部を有する４個の建物ユニットが、長辺同士、短辺同士を対峙させ、且つ、柱省略角部を互いに突き合わせて据え付けられたユニット建物において、前記柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられ、この補強梁で分けられた２組の一方の組の建物ユニットでは、柱省略角部で突き合っている短辺の天井梁同士が剛接合され、且つ、対峙している長辺の天井梁の間に長辺とほぼ等しい長さの別の補強梁が取り付けられ、他方の組の建物ユニットでは、柱省略角部で突き合っている短辺の天井梁同士がピン接合され、剛接合された天井梁と、ピン接合された天井梁とは、前記補強梁を介して連結されているものである。
【００１９】
請求項４記載の発明は、柱と床梁と天井梁とを平面矩形状の箱形に連結し、且つ、この矩形状の一角に柱を省略した柱省略角部を有する４個の建物ユニットが、長辺同士、短辺同士を対峙させ、且つ、柱省略角部を互いに突き合わせて据え付けられたユニット建物において、前記柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられ、この補強梁で分けられた２組の一方の組の建物ユニットでは、柱省略角部で突き合っている短辺の天井梁同士がピン接合され、且つ、対峙している長辺の天井梁の間に長辺とほぼ等しい長さの別の補強梁が取り付けられ、他方の組の建物ユニットでは、柱省略角部で突き合っている短辺の天井梁同士が剛接合され、剛接合された天井梁と、ピン接合された天井梁とは、前記補強梁を介して連結されているものである。
【００２０】
請求項２〜４記載の発明に使用される別の補強梁は、長辺の天井梁を補強するものであって、短辺の補強梁と接続されてない。
【００２１】
（作用）
請求項１記載の発明では、柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられているので、この柱省略角部を構成する４個の建物ユニットの短辺の天井梁は補強梁で補強されている。
【００２２】
従って、撓み難く、撓んだとしても天井スパンの長さは一直線状になっている両短辺の天井梁の和にほぼ等しい長さでそれ程長くなく、撓みが少ない。
しかも、この補強梁で分けられた２組の一方の組の建物ユニットでは、柱省略角部で突き合っている短辺の天井梁同士が剛接合されているので、この剛接合されている短辺の天井梁は、機械的強度が大きく、撓み難い。
このように、対峙する短辺の天井梁は、補強梁で補強され撓み難い上に、一方の組の建物ユニットの短辺の天井梁が剛接合されているので、更に、撓み難くなっている。従って、この撓みは許容範囲に納まり、天井が低くならない。
【００２３】
又、この補強梁の長さは両短辺の和にほぼ等しいので、施工現場に運搬し易い。
又、補強梁で分けられた他方の組の建物ユニットでは、柱省略角部で突き合っている短辺の天井梁同士がピン接合されているので、両方の組の建物ユニットの天井梁が剛接合されている建物より施工し易い。
【００２４】
請求項２記載の発明では、補強梁で分けられた２組の建物ユニットの少なくとも１組には、対峙する長辺の天井梁の間に長辺とほぼ等しい長さの別の補強梁が取り付けられているので、この長辺の天井梁が補強され、撓み難くなっている。
【００２５】
このように、請求項２記載の発明では、請求項１記載の発明で対峙している短辺の天井梁が補強梁で補強され、この補強梁で別れている一方の組の建物ユニットの柱省略角部で突き合っている短辺の天井梁が剛接合されて撓み難くなっている上に、少なくともどちらか１組の建物ユニットの対峙している長辺の天井梁が別の天井梁で補強されることが加わり、更に天井梁が撓み難くなっている。従って、短辺の天井梁と長辺の天井梁の撓みが重なっても許容範囲の中に納まり、天井が低くならない。
【００２６】
請求項３記載の発明では、柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられているので、請求項１記載の発明と同様に、柱省略角部を構成する４個の建物ユニットの短辺の天井梁は補強梁で補強され、撓み難く、撓んだとしても天井スパンの長さは一直線状に形成された両短辺の天井梁の和にほぼ等しい長さでそれ程長くなく、撓みが少ない。
【００２７】
しかも、この補強梁で分けられた２組の一方の組の建物ユニットでは、柱省略角部で突き合っている短辺の天井梁同士が剛接合され、且つ、対峙している長辺の天井梁の間に長辺とほぼ等しい別の補強梁が取り付けられているので、この一方の組の建物ユニットでは、短辺の天井梁が剛接合されて機械的強度が大きく撓み難いし、長辺の天井梁が別の補強梁で補強され、頑丈で撓み難く、両方の作用によって天井梁の撓みは極めて少ない。
そして、補強梁で分けられた他方の組の建物ユニットの短辺の天井梁は、この頑丈な一方の組の建物ユニットの短辺の天井梁に補強梁を介して連結されている。従って、全体の天井梁の撓みは許容範囲の中に納まり、天井が低くならない。
【００２８】
又、補強梁で分けられた他方の組の建物ユニットでは、柱省略角部で突き合っている短辺の天井梁同士がピン接合されているので、両方の短辺の天井梁を剛接合するより施工し易い。
又、この補強梁の長さは両短辺の和にほぼ等しく、別の補強梁の長さは長辺の長さにほぼ等しいので、施工現場に運搬し易い。
【００２９】
請求項４記載の発明では、柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられているので、請求項１記載の発明と同様に、柱省略角部を構成する４個の建物ユニットの短辺の天井梁は補強梁で補強され、撓み難く、撓んだとしても天井スパンの長さは一直線状に形成された両短辺の天井梁の和にほぼ等しい長さでそれ程長くなく、撓みが少ない。
【００３０】
又、補強梁で分けられた２組の一方の組の建物ユニットでは、対峙している長辺の天井梁の間に天井梁とほぼ等しい長さの別の補強梁で補強されているので、長辺の天井梁の撓みが少ないし、補強梁で分けられた他方の組の建物ユニットの短辺の天井梁は剛接合されて頑丈で撓み難くなっている。従って、全体の天井梁の撓みは許容範囲の中に納まる。
又、補強梁で分けられた一方の組の建物ユニットでは、柱省略角部で突き合っている短辺の天井梁同士がピン接合されているので、柱省略角部で突き合っている両方の短辺の天井梁を剛接合するより施工が簡単である。
又、この補強梁の長さは両短辺の和にほぼ等しく、別の補強梁の長さは長辺の長さにほぼ等しいので、施工現場に運搬し易い。
【００３１】
【発明の実施の形態】
次に、本発明の実施の形態を示す。
（実施例１）
図１〜図６は本発明の一実施例を示すもので、図１（イ）はユニット建物を示す斜視説明図、（ロ）は（イ）の１階の建物ユニットの配置を示す平面視配置図、図２は建物ユニットの骨格を示す斜視説明図、図３は柱省略角部を有する建物ユニットの骨格を示す斜視図、図４は柱省略角部を有する建物ユニットに補強梁を取り付けた状態を示す斜視説明図、図５は図１（ロ）のＡ部分を示す斜視図、図６は大形建物ユニットの仮柱の上端に取り付けられるジョイント材を示す斜視図である。
【００３２】
図１〜図６において、Ｕはユニット建物であり、このユニット建物Ｕは、図１に示すように、基礎９の上に５個の建物ユニット１と４個の柱省略角部を有する建物ユニット２とが据え付けられ、この５個の建物ユニット１と４個の柱省略角部を有する建物ユニット２の上に９個の建物ユニット１が据え付けられ、この９個の建物ユニット１の上に屋根ユニット４（ユニット境界線省略）が据え付けられたものである。
【００３３】
建物ユニット１は、図２に示すように、平面矩形状の四隅に配置した４本の柱１１と、この４本の柱の上端部を矩形状の辺に沿って連結した天井梁１３と、この４本の柱の下端部を矩形状の辺に沿って連結した床梁１２とからなる平面矩形状の骨格を有し、この骨格の相対する天井梁１３、１３に天井野縁１７を差し渡し、この天井野縁１７の下面に天井材を取り付けて天井を形成し、相対する床梁１２、１２に床小梁１５を差し渡し、この床小梁１５の上に床根太１６を取り付け、この床根太１６の上に床材を取り付けて床を形成し、天井梁１３と床梁１２との間に間柱１９を取り付け、この間柱１９に壁パネルを取り付けて壁を形成したものである。
そして、この建物ユッニト１には、長辺の長さがほぼ５４００ｍｍの大形建物ユニット１−１と長辺の長さがほぼ３６００ｍｍの小形建物ユニット１−２の２種類ある。
【００３４】
柱省略角部を有する建物ユニット２は、図３に示すように、平面矩形状の四隅に配置した３本の柱２１と上下にジョイント材３１、３２を仮固定した仮柱３と、この３本の柱２１の上端部やジョイント材３１を矩形状の辺に沿って連結した天井梁２３と、この２本の柱２１の下端部やジョイント材３２の矩形状の辺に沿って連結した床梁２２とからなる平面矩形状の骨格を有し、この骨格の相対する天井梁２３、２３に天井野縁２７を差し渡し、この天井野縁２７の下面に天井材を取り付けて天井を形成し、相対する床梁２２、２２に床小梁２５を差し渡し、この床小梁２５の上に床根太２６を取り付け、この床根太２６の上に床材を取り付けて床を形成し、天井梁２３と床梁２２との間に間柱２９を取り付け、この間柱２９に壁パネルを取り付けて壁を形成したものである。
【００３５】
そして、この建物ユニット２には、長辺の長さがほぼ５４００ｍｍの大形建物ユニット２−１と長辺の長さがほぼ３６００ｍｍの小形建物ユニット２−２の２種類あり、大形建物ユニット２−１の仮柱３の上端に取り付けられるジョイント材３１は、図６に示すように、ウエッブ３１１と、このウエッブ３１１の上下に一方向に突出したフランジ３１２、３１２とで形成されたコ字形にの鋳物であって、ウエブ３１１に２個の通孔３１３が設けられたものである。尚、小形建物ユニット２−２の仮柱３の上端に取り付けられるジョイント材３１は従来とほぼ同じであるので説明を省略する。
【００３６】
５は柱省略角部を有する建物ユニット２の短辺の天井梁２３を補強する補強梁であり、この補強梁５の長さはほぼ４８００ｍｍであり、短辺方向の天井梁の２倍の長さにほぼ同じである。
６は柱省略角部を有する建物ユニット２の大形建物ユニット２−１の長辺の天井梁２３を補強する別の補強梁であり、この別の補強梁６の長さはほぼ５４００ｍｍであり、大形建物ユニット１−１、２−１の長辺の天井梁２３の長さにほぼ同じである。
【００３７】
屋根ユニット４の構造は従来と同じであるので説明を省略する。
そして、このユニット建物Ｕでは、図１（ロ）、図４に示すように、この柱省略角部を有する４個の建物ユニット２には、一方の対峙している大形建物ユニット２−１と小形建物ユニット２−２の短辺の天井梁２３の間から柱省略角部を経て他方の対峙している大形建物ユニット２−１と小形建物ユニット２−２の短辺の天井梁の間に到る一直線状に形成された隙間に、この両短辺の長さの和にほぼ等しい長さの補強梁５が差し渡されて取り付けられ、この補強梁５で分けられた２個の大形建物ユニット２−１では、柱省略角部で突き合っている短辺の天井梁２３同士が剛接合され（図では＝で示す）、且つ、対峙している長辺の天井梁２３の間に長辺とほぼ等しい長さの別の補強梁６が取り付けられ、２個の小形の建物ユニット２−２では、柱省略角部で突き合っている短辺の天井梁同士が、従来と同様に、ピン接合されている。
【００３８】
尚、この剛接合の構造は、図５に示すように、柱省略角部の天井梁２３に取り付けられたジョイント材３１が、スペーサー３３を介して高力ボルト４５で接合された構造をしている。
その他の建物ユニット１、２や屋根ユニット４の接合は従来通りであるので説明を省略する。
【００３９】
次に、このユニット建物Ｕの施工方法を説明する。
工場で、建物ユニット１（大形建物ユニット１−１および小形建物ユニット１−２）と柱省略角部を有する建物ユニット２（大形建物ユニット２−１および小形建物ユニット２−２）を製造する。
又、補強梁５、別の補強梁６、屋根ユニット４等を製造する。
この建物ユニット１、柱省略角部を有する建物ユニット２、補強梁５、別の補強梁６、屋根ユニット４等を施工現場に運搬する。
【００４０】
すると、建物ユニット１、柱省略角部を有する建物ユニット２、屋根ユニット４等は、従来と同じ大きさであるのでトラックで運搬し易い。又、補強梁５は柱省略角部を有する建物ユニット２の短辺の天井梁２３の２倍にほぼ等しい長さ（ほぼ４８００ｍｍ）の長尺体であるし、別の補強梁６は大形建物ユニット２の長辺の天井梁２３とほぼ同じ長さ（ほぼ５４００ｍｍ）の長尺体であるので、運搬し易い。
【００４１】
施工現場では、予め設けている基礎９の上に、柱省略角部を有する建物ユニット２を、長辺同士、短辺同士を対峙させ、柱省略角部を突き合わせて据え付け、図１に示すように、一方の柱省略角部を有する大形建物ユニット２−１と小形建物ユニット２−２の対峙している短辺の天井梁２３の間から柱省略角部を経て他方の大形建物ユニット２−１と小形建物ユニット２−２の対峙している短辺の天井梁２３の間に到る一直線状に形成された隙間５６に補強梁５を挿入し、両側の天井梁２３と補強梁５とを、図５に一部が示されているように、ボルト・ナット４で連結し、又、柱省略角部を有する大形建物ユニット２−１の長辺の天井梁２３が対峙している隙間６５に別の補強梁６を挿入し、この補強梁６と両側の天井梁２３とをボルト・ナット（図示せず）で連結し、柱省略角部を有する大形建物ユニット２−１の天井梁２３が取り付けられている隣接しているジョイント材３１同士を、図５に示すように、スペーサー３３を介して高力ボルト４５で剛接合に連結し、小形建物ユニット２−２の天井梁２３が取り付けられているジョイント材３１同士を、従来と同様に、スペーサーを介してボルト・ナットでピン接合して連結する。
【００４２】
このようにすると、補強梁５で分けられた隣接する柱省略角部を有する大形建物ユニット２−１の柱省略角部で突き合っている短辺の天井梁２３同士はジョイント材３１、スペーサー３３を介して剛接合されているが、柱省略角部を有する小形建物ユニット２−２の柱省略角部で突き合っている短辺の天井梁２３同士はジョイント材３１、スペーサーを介してピン接合されている。
従って、すべての柱省略角部で突き合っている短辺の天井梁２３同士を両方共剛接合するより施工し易い。
【００４３】
その後、仮柱３をジョイント材３１、３２から取り外し、この周囲に建物ユニット１を長辺同士または短辺同士を対峙させて据え付け、従来と同様に、接続して１階を完成させ、この１階の建物ユニット１および柱省略角部を有する建物ユニット２の上に建物ユニット１を据え付け、接続して２階を完成させる。
更に、この２階の建物ユニット２の上に屋根ユニット４が据え付け、接合した後、種々な仕上げを行うとユニット建物Ｕが完成する。
【００４４】
このようにして完成したユニット建物Ｕでは、この柱省略角部を有する建物ユニット２は、建物ユニット１等と共にユニット建物Ｕに組み立てた後に、仮柱３をジョイント材３１、３２から外すので、この仮柱３の部分に広く連続した居住空間を形成させることができる。
【００４５】
又、柱省略角部を有する４個の建物ユニット２では、一方の対峙している大形建物ユニット２−１と小形建物ユニット２−２の短辺の天井梁２３の間から柱省略角部を経て他方の対峙している大形建物ユニット２−１と小形建物ユニット２−２の短辺の天井梁２３の間に到る一直線状に形成された隙間に、この両短辺の長さの和にほぼ等しい長さの補強梁５が差し渡されて取り付けられているので、柱省略角部を構成する４個の建物ユニット２の短辺の天井梁２３は補強梁で補強され、撓み難く、撓んだとしても天井スパンの長さは一直線状に形成された両短辺の天井梁の和にほぼ等しい長さでそれ程長くなく、撓みが少ない。
【００４６】
しかも、この補強梁５で分けられた一方の２個の大形建物ユニット２−１では、柱省略角部で突き合っている短辺の天井梁２３同士が剛接合され、且つ、対峙している長辺の天井梁２３の間に長辺とほぼ等しい別の補強梁６が取り付けられているので、この２個の大形建物ユニット２−２は、短辺の天井梁２３が剛接合されて機械的強度が大きく撓み難いし、長辺の天井梁２３が別の補強梁６で補強され、頑丈で撓み難く、両方の作用が重なって天井梁２３の撓みは極めて少ない。
【００４７】
そして、補強梁５で分けられた他方の２個の小形建物ユニット２−２の短辺の天井梁２３は、この頑丈な２個の大形建物ユニット２−１の短辺の天井梁に補強梁５を介して連結されている。従って、全体の天井梁２３の撓みは許容範囲の中に納まり、天井が低くならない。
又、２個の小形建物ユニットでは、柱省略角部で突き合っている短辺の天井梁２３同士がピン接合されているので、柱省略角部で突き合っている両方の短辺の天井梁２３をすべて剛接合するより施工し易い。
【００４８】
（実施例２）
図７は本発明の他の実施例を示すもので、１階の建物ユニットの配置を示す平面視配置図である。
【００４９】
この図７に示す実施例２を図１〜図６に示す実施例１と比較すると、実施例２に示すユニット建物Ｕａでは、柱省略角部を有する大形建物ユニット２ａ−１の天井梁２３ａはジョイント材、スペーサーを介してピン接合され、柱省略角部を有する小形建物ユニット２ａ−２の天井梁２３ａ（図中＝で記載されている場所）はジョイント材、スペーサーを介して剛接合されていることが異なる。
即ち、実施例１では剛接合されている柱省略角部で突き合っている大形建物ユニット２ａ−１の短辺の天井梁２３ａが実施例２ではピン接合され、実施例１ではピン接合されている柱省略角部で突き合っている小形建物ユニット２ａ−２の短辺の天井梁２３ａが実施例２では剛接合されている。
その他は実施例１とほぼ同じ構造であるので説明を省略する。
【００５０】
この実施例２のユニット建物Ｕａでは、この柱省略角部を有する建物ユニット２ａは、建物ユニット１ａ等と共にユニット建物Ｕａに組み立てた後に、実施例１と同様に、仮柱をジョイント材から外すので、この仮柱の部分に広く連続した居住空間を形成させることができる。
【００５１】
又、この実施例２では、柱省略角部を有する４個の建物ユニット２ａには、対峙している一方の大形建物ユニット２ａ−１と小形建物ユニット２ａ−２の短辺の天井梁２３ａの間から柱省略角部を経て他方の対峙している他方の大形建物ユニット２ａ−１と小形建物ユニット２ａ−２の短辺の天井梁２３の間に到る一直線状に形成された隙間に、この両短辺の長さの和にほぼ等しい長さの補強梁５ａが差し渡されて取り付けられているので、実施例１と同様に、柱省略角部を構成する４個の建物ユニット２ａの短辺の天井梁２３ａは補強梁５ａで補強され、撓み難く、撓んだとしても天井スパンの長さは一直線状になっている両短辺の天井梁２３ａの和にほぼ等しい長さでそれ程長くなく、撓みが少ない。
【００５２】
又、補強梁５ａで分けられた一方の２個の大形建物ユニット２ａ−１では、対峙している長辺の天井梁２３ａの間に天井梁２３ａとほぼ等しい長さの別の補強梁６ａで補強されているので、長辺の天井梁２３ａの撓みが少ないし、２個の小形建物ユニット２ａ−２の短辺の天井梁２３ａは剛接合されて頑丈で撓み難くなっている。従って、全体の天井梁２３ａの撓みは許容範囲の中に納まる。
【００５３】
又、補強梁５ａで分けられた他方の２個の大形建物ユニット２ａ−１では、柱省略角部で突き合っている短辺の天井梁２３ａ同士がピン接合されているので、柱省略角部で突き合っている両方の短辺の天井梁２３ａを剛接合するより施工が簡単である。
又、この補強梁５ａの長さは両短辺の和にほぼ等しく、別の補強梁６ａの長さは長辺の長さにほぼ等しいので、施工現場に運搬し易い。
【００５４】
【発明の効果】
請求項１記載の発明は、柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられているから、柱省略角部を構成する４個の建物ユニットの短辺の天井梁は補強梁で補強され、この柱省略角部を構成する４個の建物ユニットの短辺の天井梁は撓み難く、撓んだとしても天井スパンの長さは一直線状になっている両短辺の天井梁の和にほぼ等しい長さでそれ程長くなく、撓みが少ない。
【００５５】
しかも、この補強梁で分けられた２組の一方の組の建物ユニットは、柱省略角部で突き合っている短辺の天井梁同士が剛接合されているから、この剛接合されている短辺の天井梁は、機械的強度が大きく、撓み難い。
従って、この撓みは許容範囲に納まり、天井が低くならない。
又、この補強梁の長さは両短辺の和にほぼ等しいので、施工現場に運搬し易い。
又、補強梁で分けられた他方の組の建物ユニットでは、柱省略角部で突き合っている短辺の天井梁同士がピン接合されているので、両方の組の建物ユニットの天井梁を剛接合するより施工し易い。
【００５６】
請求項２記載の発明は、補強梁で分けられた２組の建物ユニットの少なくともどちらか１組には、対峙する長辺の天井梁の間に長辺とほぼ等しい長さの別の補強梁が取り付けられているから、この長辺の天井梁が補強され、撓み難くなっている。
【００５７】
請求項３記載の発明は、柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられているから、請求項１記載の発明と同様に、柱省略角部を構成する４個の建物ユニットの短辺の天井梁は補強梁で補強され、撓み難く、撓んだとしても天井スパンの長さは一直線状に形成された両短辺の天井梁の和にほぼ等しい長さでそれ程長くなく、撓みが少ない。
【００５８】
しかも、この補強梁で分けられた２組の一方の組の建物ユニットでは、柱省略角部で突き合っている短辺の天井梁同士が剛接合され、且つ、対峙している長辺の天井梁の間に長辺とほぼ等しい別の補強梁が取り付けられていから、この一方の組の建物ユニットでは、短辺の天井梁が剛接合されて機械的強度が大きく撓み難いし、長辺の天井梁が別の補強梁で補強され、頑丈で撓み難く、両方の作用が重なって天井梁の撓みは極めて少ない。
【００５９】
そして、補強梁で分けられた他方の組の建物ユニットの短辺の天井梁は、この一方の組の建物ユニットの短辺の天井梁に補強梁を介して連結されている。従って、全体の天井梁の撓みは許容範囲の中に納まり、天井が低くならない。
又、補強梁で分けられた他方の組の建物ユニットでは、柱省略角部で突き合っている短辺の天井梁同士がピン接合されているので、両方の短辺の天井梁を剛接合するより施工し易い。
又、この補強梁の長さは両短辺の和にほぼ等しく、別の補強梁の長さは長辺の長さにほぼ等しいので、施工現場に運搬し易い。
【００６０】
請求項４記載の発明は、柱省略角部を有する４個の建物ユニットには、一方の対峙している短辺の天井梁の間から柱省略角部を経て他方の対峙している短辺の天井梁の間に到る一直線状に形成された隙間に、この両短辺の長さの和にほぼ等しい長さの補強梁が差し渡されて取り付けられているから、請求項１記載の発明と同様に、柱省略角部を構成する４個の建物ユニットの短辺の天井梁は補強梁で補強され、撓み難く、撓んだとしても天井スパンの長さは一直線状に形成された両短辺の天井梁の和にほぼ等しい長さでそれ程長くなく、撓みが少ない。
【００６１】
又、補強梁で分けられた２組の一方の組の建物ユニットでは、対峙している長辺の天井梁の間に天井梁とほぼ等しい長さの別の補強梁で補強されているので、長辺の天井梁の撓みの少ないし、補強梁で分けられた他方の組の建物ユニットの短辺の天井梁は剛接合されて頑丈で撓み難くなっている。従って、全体の天井梁の撓みは許容範囲の中に納まる。
【００６２】
又、一方の組の建物ユニットでは、柱省略角部で突き合っている短辺の天井梁同士がピン接合されているから、柱省略角部で突き合っている両方の短辺の天井梁を剛接合するより施工が簡単である。
又、この補強梁の長さは両短辺の和にほぼ等しく、別の補強梁の長さは長辺の長さにほぼ等しいので、施工現場に運搬し易い。
【図面の簡単な説明】
【図１】  本発明の一実施例を示すもので、（イ）はユニット建物を示す斜視説明図、（ロ）は（イ）の１階の建物ユニットの配置を示す平面視配置図である。
【図２】  建物ユニットの骨格を示す斜視説明図である。
【図３】  柱省略角部を有する建物ユニットの骨格を示す斜視図である。
【図４】  柱省略角部を有する建物ユニットに補強梁を取り付けた状態を示す斜視説明図である。
【図５】  図１（ロ）のＡ部分を示す斜視図である。
【図６】  大形建物ユニットの仮柱の上端に取り付けられるジョイント材を示す斜視図である。
【図７】  本発明の他の実施例を示すもので、１階の建物ユニットの配置を示す平面視配置図である。
【符号の説明】
Ｕ、Ｕａ            ユニット建物
１、１ａ            建物ユニット
２、２ａ            柱省略角部を有する建物ユニット
２３、２３ａ        天井梁
３                  仮柱
５、５ａ            補強梁
６、６ａ            別の補強梁
【図１】
0003769431.tif 000002
【図２】
0003769431.tif 000003
【図３】
0003769431.tif 000004
【図４】
0003769431.tif 000005
【図５】
0003769431.tif 000006
【図６】
0003769431.tif 000007
【図７】
0003769431.tif 000008